(57)【要約】  本発明は、薬剤カプセル（４）を収容するカプセルハウジング（２）を備える吸入器（１）に関する。吸入器は、少なくとも１つの空気入口（８）から出口（１０）へ、空気流れ発生中、空気がそれを通って流れる空気流路（６）を備え、空気流路はカプセルハウジングの中を通る。第１のセンサ（１６）と、プロセッサ（１８）と、プロセッサを駆動する電源（２０）とがある。カプセルハウジングは、少なくとも１つの壁（２２）によって画成され、カプセルハウジング内にカプセルが配置され、空気流路に沿ってカプセルハウジングを通って十分な空気が流れるとき、カプセルがカプセルハウジング内で運動するように、構成されている。第１のセンサが、カプセルハウジング内でのカプセルの運動を検出し、前記運動を示す第１の信号を生成することができるように、吸入器に配置されている。プロセッサが、第１のセンサから第１の信号を受け取り、前記第１の信号を使用して、空気流れ発生中、第１の信号がカプセルハウジング内のカプセルの存在を示しているか、または不在を示しているか判定し、それを示すカプセル信号を生成する。
2014513591.tif 000002
【特許請求の範囲】
【請求項１】
薬剤カプセルを収容するカプセルハウジングと、空気流れ発生中、少なくとも１つの空気入口から出口へ空気が通って流れる空気流路であって、前記空気流路が前記カプセルハウジングの中を通る、空気流路と、第１のセンサと、プロセッサと、前記プロセッサを駆動する電源とを備える吸入器であって、
前記カプセルハウジングは、少なくとも１つの壁によって画成され、前記カプセルハウジング内にカプセルが配置され、前記空気流路に沿って前記カプセルハウジングを通って十分な空気が流れるとき、前記カプセルが前記カプセルハウジング内で運動するように構成され、前記第１のセンサが、前記カプセルハウジング内での前記カプセルの運動を検出し、前記運動を示す第１の信号を発生することができるように、前記第１のセンサが前記吸入器に配置され、前記プロセッサが、前記第１のセンサから前記第１の信号を受け取り、前記第１の信号を使用して、空気流れ発生中、前記第１の信号が前記カプセルハウジング内のカプセルの存在を示しているか、または不在を示しているか判定し、それを示すカプセル信号を生成する、吸入器。
【請求項２】
前記第１のセンサが衝突センサであり、前記第１の信号が衝突信号であり、前記カプセルハウジングが少なくとも１つの壁によって画成され、前記カプセルハウジングが、前記カプセルハウジング内でカプセルが運動するとき、前記カプセルが前記少なくとも１つの壁に繰り返し衝突するように構成され、前記衝突センサが、前記カプセル容器壁への前記カプセルの前記衝突を検出し、各衝突を示す衝突信号を発生することができるように、前記吸入器に配置されている、請求項１に記載の吸入器。
【請求項３】
前記吸入器が、後の読出しのために、１つまたは複数の空気流れ発生に関する前記カプセル信号を記憶するメモリをさらに備える、請求項１に記載の吸入器。
【請求項４】
前記吸入器が、出力装置をさらに備え、前記カプセル信号またはメモリ内容に前記出力装置からアクセスすることができる、請求項１または請求項２に記載の吸入器。
【請求項５】
前記プロセッサが、カプセル信号を生成するために、ピーク検出アルゴリズムを使用して前記センサからの前記衝突信号を解析し、前記計算されたピーク周波数が所定の限界内にあるか否かを判定する、前記請求項のいずれか一項に記載の吸入器。
【請求項６】
前記プロセッサが、カプセル信号を生成するために、周波数域識別アルゴリズムを使用して前記センサからの前記衝突信号を解析し、２つの異なる所定の周波数領域間の信号強度の比が、所定の限界内にあるか否かを判定する、前記請求項のいずれか一項に記載の吸入器。
【請求項７】
前記プロセッサが、カプセル信号を生成するために、前記衝突信号を特徴付ける２つの統計変数を計算し、一方の変数の他方の変数に対する散布図上の所定の領域に、前記計算された統計量が入るか否かを判定する２変数統計的アルゴリズムを使用して、前記センサからの前記衝突信号を解析する、前記請求項のいずれか一項に記載の吸入器。
【請求項８】
前記計算される変数が尖度および分散である、請求項７に記載の吸入器。
【請求項９】
前記計算される変数が、前記衝突信号の２乗または大きさのピーク対平均比、および分散である、請求項７に記載の吸入器。
【請求項１０】
前記プロセッサが、少なくとも２つの異なるアルゴリズムを使用して前記センサからの前記衝突信号を解析する、前記請求項のいずれか一項に記載の吸入器。
【請求項１１】
前記第１のセンサがマイクロフォンまたは圧電素子である、前記請求項のいずれか一項に記載の吸入器。
【請求項１２】
前記カプセルハウジングが、当該カプセルハウジングの中に収容されるカプセルより大きい直径、および前記カプセルの直径より大きいが、前記カプセルの長さより小さい高さを有する実質的に円筒形である部分を備え、前記空気流路が、前記カプセルハウジング内で前記カプセルをスピンさせるように構成されている、前記請求項のいずれか一項に記載の吸入器。
【請求項１３】
前記吸入器が、開口要素に前記吸入器内のカプセルを開口させるために使用者によって作動させることができる少なくとも１つのアクチュエータを備え、前記吸入器が、前記アクチュエータの作動を感知し、作動信号を発生するアクチュエータセンサをさらに備え、前記プロセッサが、前記作動信号を受信するように構成されている、前記請求項のいずれか一項に記載の吸入器。
【請求項１４】
前記プロセッサが、前記吸入器の正しい使用シーケンスに使用者が従ったか否かを示す服用信号を生成するように構成され、前記プロセッサが、前記カプセル信号および前記作動信号、それら信号が生成された順序、ならびに信号間の時間に基づいて前記服用信号を生成する、請求項１３に記載の吸入器。
【発明の詳細な説明】
【技術分野】
【０００１】
本発明は、吸入器、特にカプセルに基づく吸入器に関する。
【背景技術】
【０００２】
使用者がそれを介して吸い込んでその中に入っている薬剤を摂取することができる多くのタイプの吸入器が存在する。一部の吸入器は、使用者が順次アクセスすることができる複数の薬剤の服用量を収容し、他方、別の吸入器は、カプセルに基づいており、各供給（放出）に対して使用者が少なくとも１つのカプセルを装置内に挿入する必要がある。一部の使用者が彼らの使用法に正確に従っていないとき、直接監視していないと、使用者が装置を使用する仕方を正確にチェックすることは困難であり得る。これは、処方者には明らかにならない治療計画との齟齬を来し、それによって、症状が長引く原因が明らかでなくなることがあり得る。使用者が摂った服用の数を使用者または第３者が調べることを可能にするディスペンサが提案されてきたが、これは、使用者が実際に摂った正しい服用の数に必ずしも正確に対応していない。たとえば、カプセルを、ディスペンサから送り出すことはできたが、吸入器内に入れることができなかったり、または吸入器には入ったが、何らかの理由で薬剤が放出されなかったりする。
【発明の概要】
【０００３】
本発明は、薬剤カプセルを収容するカプセルハウジングと、少なくとも１つの空気入口から出口へ、空気流れ発生中、空気がそれを通って流れる空気流路であり、カプセルハウジングの中を通る空気流路と、第１のセンサと、プロセッサと、プロセッサを駆動する電源とを備える吸入器であって、カプセルハウジングは、少なくとも１つの壁によって画成され、カプセルハウジング内にカプセルが配置され、空気流路に沿ってカプセルハウジングを通って十分な空気が流れるとき、カプセルがカプセルハウジング内で運動するように、構成され、第１のセンサが、カプセルハウジング内でのカプセルの運動を検出し、前記運動を示す第１の信号を発生することができるように、吸入器に配置され、プロセッサが、第１のセンサから第１の信号を受け取り、前記第１の信号を使用して、空気流れ発生中、第１の信号がカプセルハウジング内のカプセルの存在を示しているか、または不在を示しているか判定し、それを示すカプセル信号を生成する、吸入器を提供する。
【０００４】
吸入器は、カプセルから患者の気道、たとえば肺への薬剤の配出を可能にするように意図される。薬剤は、乾燥紛体、液体、または他の適切な調剤でよく、１つまたは複数の病状を治療するための１つまたは複数の作用成分を含み得る。薬剤は、調剤を安定化させ、１塊にし、あるいは調剤の１つまたは複数の特性を変化させるための１つまたは複数の非作用成分を含み得る。薬剤は、作用成分を全く含んでいないこともあり、たとえば、薬剤が偽薬のこともある。
【０００５】
空気流路は、空気が空気流路に入ることができる入口を備える。空気という用語は、たとえば、患者に供給され得、空気と同一でない組成を有するガス、たとえば酸素富化ガスなど、任意の適切なガスを含むものと理解されたい。空気流路からの出口は、使用者が、カプセルからの薬剤を摂取するために、それを通して吸入するマウスピースまたはノーズピースであり得る。
【０００６】
空気流れ発生とは、空気が空気流路を通って流れるときのことである。これは、使用者が吸入器を通して吸入する、たとえばマウスピースまたはノーズピースを通して吸入することによって生じさせることができ、または、圧力源が、空気または他のガスを、入口から出口へそして使用者内へ空気流路を通して流すことによって生じさせることができる。通常、吸入器を通る空気流は、１分当たり１５〜１５０リットルの範囲内にある。
【０００７】
プロセッサは電子回路でもよく、たとえばそのプロセッサには、１つまたは複数のアナログもしくはディジタル集積回路、ディスクリート回路、またはプログラム可能ディジタルプロセッサを含み得る。プロセッサは、電源、たとえば機能するための電力源を必要とし得る。センサは、電子回路であっても、機能するための電力源をやはり必要としても、または、センサは受動型センサでもよい。
【０００８】
センサおよび／またはプロセッサによって生成される信号は電磁的でもよく、たとえば波形など時間変数信号でもよく、あるいは、電子的オン／オフもしくは高／低信号または他の適切ないかなる信号の形でもよい。
【０００９】
センサは、カプセルが吸入器内に存在するか否かの判定を行うために処理することができる信号を発生することができる適切ないかなるタイプのセンサでもよい。たとえば、光学的センサを、カプセルハウジングを監視するために配置することができ、前記センサからの信号を処理して、その信号が、カプセルハウジング内でのカプセルの運動を示しているか否かを判定することができる。基本的アルゴリズムおよび試行錯誤によって、そのような信号を処理する適切な方式を策定することができると考えられる。
【００１０】
一実施形態では、吸入器は、衝突センサである第１のセンサを備え、第１の信号は衝突信号である。カプセルハウジングは、少なくとも１つの壁によって画成され、カプセルハウジング内でカプセルが運動するとき、カプセルが少なくとも１つの壁に繰り返し衝突するように、構成されている。衝突センサは、カプセルハウジング壁へのカプセルの衝突を検出し、各衝突を示す衝突信号を発生することができるように、吸入器に配置されている。
【００１１】
第１のセンサは、カプセルハウジング内でのカプセルの運動を検出することができるように、吸入器に配置されている。第１のセンサは、たとえば光学的センサがカプセルの運動を視認することによって、運動を直接検出することができる。代替実施形態では、センサは、たとえば壁とのカプセルの衝突、またはカプセルが空気入口または出口を横切って移動するときの空気流パターンの変化など、カプセルの運動に結び付く特性の存在または不在を判定するために解析することができるパラメータを感知することによって、運動を間接的に検出することができる。
【００１２】
たとえば光学的センサに勝る衝突センサの利点は、空気流路内に配設する必要がある部分が衝突センサに無く、それにより、空気流路の構造を簡単化することができ、また、その種のセンサを既存の吸入器設計に組み込むことをより容易にすることができることである。光学的センサは、それを通してカプセルハウジングの中を「見」て信号を発生することができる少なくとも１つのウィンドウを空気流路内に必要とし、その結果、吸入器はその信号を処理して吸入器内のカプセルを検出することができる。衝突センサは、たとえば圧力変換器、マイクロフォン、または圧電素子など、適切ないかなるセンサでもよい。
【００１３】
一実施形態では、センサは、カプセルハウジング壁へのカプセルの衝突をセンサによって「聞く」または「感じる」ことができる位置で吸入器内に配置されたマイクロフォンである。適切な衝突信号を生成するために、２つ以上のタイプのセンサからの出力を組み合させることができる。センサによってカプセルをより容易に検出できるようにするために、カプセルを変更することができ、たとえば、カプセルが、適切なセンサによって検出することができる金属または磁気部分を備えることができることにも留意されたい。別の実施形態では、センサは、カプセルハウジング壁へのカプセルの衝突をセンサによって「聞く」または「感じる」ことができる位置で吸入器内に配置された圧電素子である。
【００１４】
吸入器は、後の読出しのために、１つまたは複数の空気流れ発生に関するカプセル信号を記憶するメモリをさらに備える。これは、任意の適切な形態のメモリであってもよく、消去可能メモリでも永久メモリでもよい。たとえば、メモリは、電子的に読取り可能ならびに／または書込み可能および／もしくは再書込み可能であってもよく、フラッシュメモリ、ＲＡＭ、ＥＰＲＯＭを含み得る。メモリはまた、第１の信号、信号が生成された時間に関するデータ、および他の任意のデータを記録することができる。吸入器は、処方者としての使用者に使用データを提供することができる追加のセンサを備え得、そのようなデータを後の読出しのためにメモリに記憶することができる。データは、特定の空気流れ発生と関連付けることができる。
【００１５】
吸入器は、コンピュータなどの外部装置によってカプセル信号および／またはメモリ内容にそこからアクセスすることができる出力装置をさらに備え得る。出力装置は、通信ケーブルを挿入することができるソケットを備え得る。それに加えて、またはその代わりに、出力装置は、外部受信器が受信することができる無線信号を生成し発信する信号発生器を備え得る。出力装置は、無線発信器、たとえばＷｉＦｉ（登録商標）発信器でもよい。
【００１６】
プロセッサは、１つまたは複数の異なるアルゴリズムを使用して第１の信号を解析することができる。プロセッサは、カプセル信号を生成するために、ピーク発見アルゴリズムを使用してセンサからの第１の信号を解析し、計算されたピーク周波数が所定の限界内にあるか否かを判定することができる。それら限界は、吸入器の形状内で予想される流速での典型的なスピン（回転）するカプセルの周波数に基づいて決定される。空気流れ発生中、カプセルがカプセルハウジングの壁に衝突する周波数は、実質的に一定であり、したがって、適切な限界を設定することができることが判明している。ピーク発見アルゴリズムは、衝突イベント検出上の信号ノイズの影響を低減するのに使用され、計算が比較的複雑でない。
【００１７】
プロセッサは、カプセル信号を生成するために、周波数域識別アルゴリズムを使用してセンサからの衝突信号を解析し、２つの異なる所定の周波数領域間での信号強度の比が、所定の限界内にあるか否かを判定することができる。空気流れ発生中、カプセルが存在する信号とカプセルが存在しない信号との間では、特定の周波数範囲において、衝突信号が異なることが判明している。２つの異なる所定の周波数範囲間での信号強度の比を比較することによって、信号ノイズの影響が低減される。
【００１８】
プロセッサは、カプセル信号を生成するために、衝突信号を特徴付ける２つの統計変数を計算し、一方の変数の他方の変数に対する散布図上の所定の領域に、計算された統計量が入るか否かを判定する２変数統計的アルゴリズムを使用して、センサからの衝突信号を解析することができる。
【００１９】
衝突信号を特徴付ける統計変数を計算する統計解析を行うことによって、衝突信号のある種の尺度が、カプセルが存在する信号とカプセルが存在しない信号とに関して異なることが判明している。
【００２０】
尖度は、この目的のために潜在的に有効な統計変数である。特定の変数（ｘ）に対する確率の図上で、変数ｘがガウス分布である場合、ｋ＝０である。他方、Ｋ＞０であれば、中央のピークが削られて分布の裾野が厚くなる。逆に、Ｋ＜０であれば、分布は、裾野が薄くなり、ピークが太く広くなる。このように、Ｋは、ガウス分布からの乖離の２方向尺度である。
【００２１】
尖度（Ｋ）は、カプセルの衝突過渡応答を検出するのに使用することができ、その理由は、これらイベントは、目で見てそれと分かるほどにサンプル分布の裾野を外側に押し広げる傾向があり、その結果、明瞭に非ガウス分布になるからである。呼吸ノイズのみでは、まさにガウス分布であるからである。他方で、吸入器が、それを通して吸入されていないときのバックグラウンドノイズは、極めて低いパワー（したがって比較的低い分散（σ２））を有し、極めて高い尖度を有し得、その理由は、過渡応答は、たとえ極めて小さくても、信号の末尾に衝突の大きな部分を有し得るからである。これは、区別を必要とする２つのタイプの信号をもたらす。すなわち、
カプセル不在の呼吸ノイズ（低いＫ、低から中程度のσ２）、
カプセルが存在する呼吸ノイズ（中程度のＫ、低から高のσ２）
である。
【００２２】
無カプセル信号は、高いピーク（衝突イベント）がより少なく、したがって平均に対するピークの比がより低くなる傾向があるので、信号自体または信号の２乗のいずれのピーク対平均比を使用することもできる。
【００２３】
計算される変数は、尖度および分散でもよく、あるいは衝突信号の２乗または大きさのピーク対平均比、および分散でもよい。
【００２４】
これら全てのアルゴリズムに関して、信号タイプを「カプセルが存在する」と「カプセルが存在しない」とに分類するために使用することができる限界は、吸入器タイプそれぞれで異なり、簡単な試行錯誤方法を用いて決定することができる。同じタイプの吸入器同士では差異は微小であると考えてよく、したがって、これら限界は、吸入器タイプごとに容易に計算することができる。
【００２５】
カプセルハウジングは、センサが適切な信号を発生することができるようにカプセルがその内部で十分に運動することができる適切ないかなる形状でもよい。カプセルハウジングは、カプセルを１つまたは複数の以下の態様、すなわち、長手方向に前後に、半径方向に、または、完全な回転もしくは限られた角度範囲内で回転して運動させることができる。カプセルハウジングは、その中に収容されるカプセルの長さより大きい直径、およびカプセルの直径より大きいが、カプセルの長さより小さい高さを有する実質的に円筒形である部分を備え得、空気流路は、カプセルハウジング内でカプセルをスピンさせるように構成されている。この構成は、カプセルを、実質的にその直径を通る軸の周りにスピンさせることができる。スピンは、他の軸の周りに空気流によって生じる実質的にランダムな揺動にさらに加わり得る。
【００２６】
吸入器は、開口要素に吸入器内のカプセルを開口させるために使用者が作動させることができる少なくとも１つのアクチュエータを備え得る。吸入器は、アクチュエータの作動を感知し、作動信号を発生するアクチュエータセンサをさらに備え得る。プロセッサは、作動信号を受信するように構成され得る。アクチュエータは、開口部材に結合されたボタンでもよく、その開口部材は、たとえば、カプセルの中に入っている薬剤にアクセスすることができるようにカプセルに開口を生じるように適合されている穿孔要素または切断刃である。連係する開口要素をそれぞれが有し、その結果カプセルに２つの開口を設けることができる２つのアクチュエータがあってもよい。アクチュエータセンサは、押しボタンスイッチでもよい。各アクチュエータが、アクチュエータセンサと連係してもよいが、これは必須ではない。アクチュエータセンサは、ボタンを押すことが、装置を通して吸入する直前に使用者によって行われる操作である筈なので、残りの電子機器を「起こす」ために使用することができる。
【００２７】
プロセッサは、吸入器の正しい使用シーケンスに使用者が従ったか否かを示す服用信号を生成するように構成され得る。プロセッサは、カプセル信号および作動信号、それら信号が生成された順序、ならびに信号間の時間に基づいて服用信号を生成することができる。
【００２８】
これら例のいずれにおいても、前記または各センサからの信号に１つまたは複数のフィルタを適用した後に、アルゴリズムの１つまたは複数をそれら信号に適用することができる。フィルタには、ハイパスフィルタ、ローパスフィルタ、ノイズ除去フィルタ、または他の任意の適切なフィルタの１つまたは複数が含まれ得る。
【００２９】
吸入器は、国際公開第２００５／１１３０４２号パンフレット記載のカプセル吸入器に実質的に類似、または実質的にそれと同じでよい。
【００３０】
この明細書を通して、また添付の特許請求の範囲において、別段文脈により必要とされない限り、用語「ｃｏｍｐｒｉｓｅ（備える／含む）」、または「ｃｏｍｐｒｉｓｅｓ」もしくは「ｃｏｍｐｒｉｓｉｎｇ」などの変化形は、言及された整数もしくはステップ、または整数もしくはステップのグループを含んでいることを意味するものと理解されたい。
【００３１】
次いで、本発明が、添付図面を参照して、単なる例としてさらに説明される。
【図面の簡単な説明】
【００３２】
【図１】吸入器を示す図である。
【図２】分散に対する尖度の散布図である。
【図３】分散に対するピーク対平均比の散布図である。
【図４】周波数域識別装置解析の例のグラフである。
【図５ａ】ピーク保持解析の例を示すグラフである。
【図５ｂ】ピーク保持解析の例を示すグラフである。
【図６】ディジタル処理に基づく電子機器ハードウェアの例を示す図である。
【図７】信号処理アルゴリズムの例を示す図である。
【発明を実施するための形態】
【００３３】
図１は、薬剤カプセル４を収容するカプセルハウジング２を備える吸入器１を示す。吸入器１は、空気流れ発生中、空気がその中を流れる空気流路６を備える。空気流路６は、少なくとも１つの空気入口８から出口１０まで延在し、カプセルハウジング２を貫通する。入口８は、中心線から離れたところでカプセルハウジング２に入る。この例では、カプセルハウジング２の上部１０の部分は実質的に円筒形であり、空気入口８はカプセルハウジング２へ実質的に接線方向に入り、それによって、空気をカプセルハウジング２内でスピンさせる。カプセルハウジング２の上部１０は、その中に収容されるカプセル４の長さより大きい直径、および、カプセルの直径より大きいが、カプセル４の長さより小さい高さを有する実質的に円筒形である。カプセルハウジング２は、底部１２または収納部を有し、その中に、カプセル４が最初に載置される。カプセル４には、乾燥紛体製剤１４が入っている。
【００３４】
吸入器１は、カプセルハウジング２の底部１２に隣接して配置されたセンサ１６、この場合はマイクロフォンをさらに備える。センサ１６は、電源２０、この場合はバッテリによって駆動されるプロセッサ１８に結合されている。
【００３５】
カプセルハウジング２は、少なくとも１つの壁２２によって画成されており、カプセル４がカプセルハウジング２内に配置され、十分な空気が空気流路６に沿って流れるとき、カプセル４が、カプセルハウジング２の上部１０に引き入れられ、空気流中でスピンするように、構成されている。カプセル４がスピンするとき、カプセル４が壁２２に繰り返し衝突し、センサ１６が、カプセルハウジング２内のそれら衝突を検出することができるように配置されている。センサ１６は、衝突を示す信号を発生する。プロセッサ１８が、センサ１６から信号を受け取る。
【００３６】
吸入器１は、また、穿孔部材２６に結合されている１対のアクチュエータボタン２４を備える。ボタン２４は、穿孔部材２６に、カプセルハウジング２の底部１２に配置されたカプセル４の両端に孔を開けさせるために、使用者が押すことができる。アクチュエータボタン２４が押されたか否かについて示す作動信号を生成することができる作動センサ２８が存在する。
【００３７】
プロセッサ１８は、センサ１６、２８から信号を受け取り、空気流れ発生中のカプセルの存在、作動ボタン２４の操作、吸入器の正しい使用（正しいシーケンスおよび操作のタイミング、ならびに空気流れ発生中にカプセルが存在していること）の１つまたは複数を示すことができる出力信号を生成する。プロセッサ１８からの出力、および／またはセンサからの生の出力は、メモリ３０に記憶され、出力装置３２、この場合は無線送信器を使用してアクセスすることができる。
【００３８】
マイクロフォンセンサでは、所望の衝突イベントの検出に加えて、かなりの量のノイズが検出され得ることに注目すべきである。ノイズは、環境的なものであり得、または吸入器を通る空気流によって生じ得る。このノイズは、大きさおよびタイプにおいて著しく変化し得るので、衝突を示す信号とそのような衝突を示さない信号とを区別する何らかの方策が必要である。
【００３９】
装置を正しく使用するために、使用者は、カプセルを吸入器に装填し、ボタンを押してカプセルに孔を開け、次いで、装置を通して吸入する必要があり、それによって、カプセルが空気流中で激しく動かされスピンし、その結果、カプセル内の紛体薬剤が、カプセルから放出され、空気流中を患者まで連行される。
【００４０】
吸入器の電子機器が作動する方式は以下の通りである。すなわち、
１．使用者が、ボタンを押し込み、作動信号がプロセッサによって受信される。
２．プロセッサが、所定の時間だけ第１のセンサからのデータのサンプリングを開始する。データは、本明細書に説明される１つまたは複数のアルゴリズムに従って、オンラインで処理される。中間データが記憶される。
３．中間データが妥当性をチェックされる。必要なら、複数のアプローチによるデータが比較される。
４．後の伝送のために結果が記憶される。
【００４１】
プロセッサが衝突信号を処理することができる方式のいくつかの例が以下に説明される。
【００４２】
カプセルを入れた吸入器からの信号において衝突を検出する一方式は、信号を特定の閾値と比較することである。たとえば、低から中間の呼吸流速に対して、カプセルの衝突は、信号において、ある閾値を適用し、その閾値を超えるそれぞれはカプセルの衝突によって生じたと想定することによって識別することができる。信号処理中に十分な数の衝突が見付かれば、その信号は、カプセルの存在を示すものと判断することができる。衝突の数は、吸入器の設計に依存するカプセルのスピン回数に応じ、それぞれの吸入器のタイプに対して較正する必要がある。
【００４３】
センサからの信号を解析する別の方法は、信号を特徴付けるために統計変数を計算する統計的手法である。吸入器内のカプセルは、低周波数で高い信号スパイクを有する極めて明瞭な衝突騒音を生じる。これは、信号において特有の振幅分布を生じる。
【００４４】
この解析のために、信号は、最初に、式（１）のｚ変換によるハイパスフィルタ（ＨＰＦ）に通される。
【００４５】
【数１】
2014513591.tif 000003
これは、（ｉ）低周波ノイズおよびあらゆるＤＣ偏移を減らし、（ｉｉ）高周波ノイズおよびカプセル衝突過渡信号を強調するという２重の効果を有する。
【００４６】
次いで、スライディングウィンドウアルゴリズムが実行されて、Ｎサンプルのデータ（通常、Ｎ＝２０４８）上で作動し、節約のために１度にＮサンプルに跳ぶ（ホップする）。各ウィンドウで、尖度Ｋおよび分散σ２が、式（２）および（３）を使用して計算される。最大パワーを有するスライディングウィンドウ（経験的に使用サイクル上の最大「情報」に結び付く）が、必要な（Ｋ、σ２）検出装置出力を生成する。ＨＰＦ後、データは平均値０と見なせるので、加算は、平均値を予め知ることなく即座に行うことができる。
【００４７】
【数２】
2014513591.tif 000004
【００４８】
【数３】
2014513591.tif 000005
【００４９】
前述のように、尖度は、すなわち、ガウス分布からの乖離の２方向尺度である。ランダム変数ｘがガウス分布であれば、Ｋ＝０である。他方、Ｋ＞０であれば、中央のピークを削って分布の裾野が厚くなる。逆に、Ｋ＜０であれば、分布は、裾野が薄くなり、ピークが太く広くなる。
【００５０】
尖度は、カプセルの衝突イベントを検出するのに適しており、その理由は、これらイベントは、目で見てそれと分かるほどにサンプル分布の裾野を外側に押し広げる傾向があり、その結果、明瞭に非ガウス分布になるからである。呼吸ノイズのみでは、より遥かにガウス分布である。
【００５１】
これは、区別を必要とする２つのタイプの信号をもたらす。すなわち、
カプセル不在の呼吸ノイズ（低いＫ、低から中程度のσ２）、
カプセルが存在する呼吸ノイズ（中程度のＫ、低から高のσ２）
である。
【００５２】
シミュレーション試験が、２つのクラス（Ｈ１＝呼吸ノイズ＋カプセルの存在、Ｈ０＝否Ｈ１）の１つに属するとして入力信号を分類することができることを目的として実施された。いくつかの結果例が、図２の散布図に示されている。
【００５３】
その散布図は、１つの例示的マイクロフォンタイプを使用して記録された全てのデータセットを示す。散布図に２つの別個の結果の領域を認めることができる。それらの間には、結果が入ってこない領域がある。２つの領域は、カプセルのスピンを伴う呼吸ノイズ、および呼吸ノイズのみを表す。
【００５４】
既述の通り、環境ノイズは低めの尖度を有する。そのような信号が、カプセル＋呼吸ノイズ信号に加わると、全体の尖度が小さくなる。したがって、データ点は、散布図内で低い方へ移動する。
【００５５】
分散および尖度を計算した後、結果の分類の判定を行わなければならない。これは、図２の線によって描かれた３つの領域のどれにデータ点が入るか調べることによって行われる。
【００５６】
上側の線「Ｃ」より上に来るものはいずれも、カプセルが存在することを示す信号を表す。下側の線「Ｄ」よりに下に来るものはいずれも、呼吸ノイズのみを表す。２つの線の間に来るものはいずれも、ノイズを伴うカプセルを表す。
【００５７】
極めて高いレベルの環境ノイズはカプセルノイズを覆い隠し得、したがって、データ点を、カプセル領域から無カプセル領域へ押しやることが注目される。そのような問題点を検出するために、以降説明される技法を使用することができる。
【００５８】
このアルゴリズムは、強力であり、さほど計算が複雑でなく、メモリの必要性が低いので有用である。尖度の計算は、２乗および２乗の２乗を計算することになるので極めて大きいダイナミックレンジを必要とすることに留意されたい。
【００５９】
この技法は、数キロヘルツほどの低さのサンプルレートで働く。ピークをそれでも採取することができる限り、ナイキストサンプリングは必要とされない。
【００６０】
既述の高次の統計的方法は単純化することができる。その方法の目的は、信号の大部分がかなり低い中で、信号中に存在する高いピークを検出することである。これは、尖度を計算することによって行われる。潜在的により簡単な方法は、信号の２乗のピーク対平均比を使用することである。
【００６１】
この方法では、信号が、式（１）に記載されたハイパスフィルタにやはり通される。次いで、やはり分散が、通常２０４８サンプルのウィンドウについて計算される。また、各ウィンドウについて、信号サンプルの最大２乗が記録される。その値を、平均値によって割ることによって、ピーク対平均比を得る。
【００６２】
分散およびピーク対平均比が、この場合、前述の分散および尖度として使用される。これが、図３に示されている。
【００６３】
諸データ点が散布図上のそれらの領域に従って分類される前述と同じ処理が実施される。
【００６４】
この方法は、より高次の統計的方法と同じ少メモリ要件を有する。さらに、その方法は、より少ない計算しか必要とせず、ダイナミックレンジがより小さい。これは、固定小数点計算しか通常提供しない安価で小さい低パワープロセッサ上で簡単に実行できる。
【００６５】
センサからの信号を解析するために使用することができる別のアルゴリズムは、周波数域識別装置解析である。図４は、カプセルが存在する線Ａ、および存在しない線Ｂによる、吸入器内の空気流れ発生（５０（ｌ／ｍｉｎ））からの信号の解析の比較を示す。充満カプセルおよび無カプセルのデータによる周波数スペクトルは、周波数帯域１ｋＨｚ〜２．５ｋＨｚにおける振幅は同様であるが、吸入器内でのカプセル衝突からの特有の信号により、４ｋＨｚから上の周波数では極めて異なる。
【００６６】
このアルゴリズムでは、１〜２．５ｋＨｚの信号エネルギーを３ｋＨｚ以上の信号エネルギーと比較する。これは、高速フーリエ変換を行い、様々な帯域で、またはより簡単には、バンドパスフィルタとハイパスフィルタとの組合せの使用を介して時間域で、エネルギーを合算することによって実施することができる。これらフィルタおよびそれに続くエネルギーの比較は、アナログまたはディジタル技法を使用して実現することができる。このアルゴリズムは、フィルタを使用して時間域で実行される場合、計算がさほど複雑でないので有用である。
【００６７】
様々な流速ならびに模擬ノイズおよび呼吸プロフィールでの試験から、この方法は、高いレベルのノイズが存在していても、吸入器内にカプセルが存在することを検出するかなり強力な方法を提供することが判明した。試験された環境ノイズのスペクトル成分の大部分は１０００Ｈｚ以下であり、したがって、ここで実施されるエネルギー比の計算には影響しないことが認められた。
【００６８】
別の方法は、ピーク検出アルゴリズムを適用することであり、そのアルゴリズムは、カプセルの衝突によって生じた信号の全てのピークを識別することを目的とする。再び、信号は、式（１）のようなハイパスフィルタを掛けられる。アルゴリズムの残りは、フィルタを掛けた信号の２乗サンプル、またはフィルタを掛けただけの信号自体について実行することができる。信号は、時間経過によるプロフィールを計算することができるようにスライディングウィンドウ式に処理することができるが、これは必須ではない。
【００６９】
このアルゴリズムでは、サンプルの振幅またはその２乗がピーク保持値と比較される。そのサンプルがピーク保持値より大きい場合、新しいピーク保持イベントが生じたと見なされる。この場合、ピークカウンタが進められ、ピーク保持値がそのサンプルの値に設定される。他方、次のサンプルが、振幅でピーク保持値より小さい場合、ピーク保持イベントは記録されず、その時点のピーク保持値が、それに適切な減衰係数（この場合、適切な値は約０．９９である）を乗算することによって、単純に減らされる。このアルゴリズムに対する疑似コードが以下に示され、そのコードでは、ｄ（ｋ）はｋ番目のデータサンプルであり、ｐｋ＿ｈｏｌｄはピーク保持値である。
【００７０】
ＩＦ  ｄ（ｋ）＞ｐｋ＿ｈｏｌｄ
ｐｋ＿ｈｏｌｄ＝ｄ（ｋ）
ｐｅａｋ＿ｃｏｕｎｔｅｒ＝ｐｅａｋ＿ｃｏｕｎｔｅｒ＋１
ｐｅａｋ＿ｅｖｅｎｔ（ｋ）＝１；
ＥＬＳＥ
ｐｋ＿ｈｏｌｄ＝０．９９９＊ｐｋ＿ｈｏｌｄ
ＥＮＤ
【００７１】
疑似コードに示されていないのは、このアルゴリズムの一実施形態では、次のピーク保持値が生じたと見なすことができる前に、少なくとも２０のサンプルを処理する必要があることである。これにより、１つのカプセル衝突イベントの発生の周りに生じるピーク保持イベントの群がりを防止し、確実に各衝突を単に１回と数えることができる。
【００７２】
また、閾値を用いて低レベルのノイズを除去することができる。閾値より上のサンプル値のみが有効ピークであると見なされる。これにより、実際のカプセル衝突ではない多数の極めて小さいピークを数えることが回避される。
【００７３】
ピーク保持イベントを見出すと、アルゴリズムは各イベント間の時間を測定し、その時間から、基本周波数が計算され得る。次いで、１０Ｈｚ帯域内ごとの個々の基本周波数の発生回数が数えられる。現在の吸入器タイプによる試験の結果は、確実に形成されたカプセル衝突イベントによれば、充満カプセルの測定からの衝突信号は、高周波数成分より多くの低周波数成分を有し、したがって、１１０Ｈｚ以下の信号エネルギーを３００Ｈｚ以上の信号エネルギーと比較すると、これが、充満カプセルイベントと無カプセルイベントとを区別する適切な測定法になる。
【００７４】
図５ａおよび５ｂは、充満カプセルおよび無カプセルの測定値それぞれに関するピーク保持処理の結果を示す。両試験とも、吸入器を通る２０（ｌ／ｍｉｎ）の流れで行われ、グラフは、垂直軸上に信号の振幅、および水平軸に沿ってサンプルの数を示す。
【００７５】
「ｏ」の記号は、ピーク保持イベントを表し、「ｏ」に交わる線は、これらイベントのそれぞれの間でピーク保持イベントが減衰する様子を示す。図から、充満カプセルの測定では、カプセル衝突の突出したピークが位置を占めているが、無カプセルの測定では、アルゴリズムは、ノイズ的波形の特性による間隔の近接したピークのみを標すことに留意されたい。
【００７６】
より高い流速（１５０（ｌ／ｍｉｎ））での試験は、個々の衝突ピークが互いにより接近し、それゆえ、充満カプセルの測定値にはより多くの高周波成分が存在し、したがって、３００〜１０００Ｈｚに対する１１０Ｈｚ以下のエネルギーの比率は、より低流速での測定値に関する比率ほどには大きくないが、それでも有用であることを示した。
【００７７】
今まで説明した全てのアルゴリズムは、理想的、静的状態では良好な成果をもたらすが、環境ノイズまたは吸入器の取扱いによって生じるノイズが、誤った結果を生じることがある。
【００７８】
誤った結果を回避するために、以下の技法を使用することができる。
【００７９】
取扱いノイズは、信号中に個々の高ピークを生じ得る。これらは、カプセルの衝突によって生じるピークによく似ている。ただし、たとえば吸入器を硬い面上に落としたり、それにぶつけたりすることでは、極めて限られた数のピークしか生じない。統計的アルゴリズムまたは周波数域識別装置は、そのようなイベントをカプセルイベントから識別することはできないが、それら方法は、ピーク保持方法によって補足することができる。カプセルが存在する信号の類別は、時間ウィンドウ内に十分な数のピークがある場合にのみ有効と見なすことができる。他の場合には、結果はノイズとして類別される。
【００８０】
大きなバックグラウンドノイズは、様々なアルゴリズムを使用するカプセルの検出に用いられる信号ピークを覆い隠す可能性がある。呼吸は限られた時間しか継続しないので、カプセルおよび呼吸ノイズが期待されない時間が呼吸の前後にある。したがって、ボタンが押し込まれた後の信号の最初の部分（通常、ボタン押込み後の０．１〜０．５秒）、および信号を評価するために停止する前の最後の部分（通常、１０〜３０秒後）は、バックグラウンド環境ノイズのレベルを点検するために使用することができる。それらが、用いられるカプセル検出アルゴリズム（複数可）を信頼できなくするあるレベル以上であれば、ノイズの結果が生成される。
【００８１】
図６は、本例に使用されたハードウェアを示す。マイクロフォン１６からの信号が、１ｋＨｚの３ｄＢ周波数を有する簡単な１次ＲＣフィルタであるアナログハイパスフィルタ５０に通される。そこから、信号は、９．６ｋＨｚでサンプルし、１２ビットの分解能を有するアナログ−ディジタル変換器（ＡＤＣ）５２へ通される。ＡＤＣは、マイクロプロセッサチップ５４に組み込んでもよい。
【００８２】
図７は、一旦サンプルがマイクロプロセッサ５４に送られた後、それらサンプルに実行することができるアルゴリズムの組合せの例を示す。先ず、ウィンドウ生成工程５６において、信号を長さ２０４８サンプルのウィンドウに分割する。
【００８３】
これらウィンドウを、簡易ハイパスフィルタ５８によって処理する。最も簡単な手段は、現サンプルから前のサンプルを減ずることである。これにより、ＡＤＣ内の回路上の問題により存在し得るあらゆるＤＣ偏移が除去される。一例示的信号では、信号の始めに、休止時間がそれに続く約２秒の持続時間の吸入があり得る。カプセルの穿孔と吸入との間に使用者がかける時間が分かっていないので、検査ウィンドウは、１呼吸より遥かに長い必要がある。
【００８４】
次いで、信号が２乗され６０、２乗サンプルの平均が、ウィンドウの２０４８サンプルに関して計算される６２。これが、図７のアルゴリズム構成図の最上部の岐路で行われる。また、最高２乗値が、中央分岐で記録される６４。これは、２乗を計算しながら、または、それらがメモリに記憶されているなら２乗サンプル全体を調べることによって行うことができる。全てのサンプルの２乗およびそれらの平均を計算し、それらサンプルの２乗のピーク値を見付けた後、ピーク対平均比が計算される６６。２乗の平均（分散）およびピーク対平均比は、このウィンドウに対して、後の分類のために記憶される。
【００８５】
図７のアルゴリズム構成図の下側の分岐では、ウィンドウ内のピークを数える６８。先ず、ノイズによって生じた小さなピークを除去するために、閾値が使用される。次いで、カプセルの衝突によって生じたピークを見付けるために、ピーク検出アルゴリズムが適用される。
【００８６】
このプロセスが、全てのウィンドウが処理されるまで、各ウィンドウについて繰り返される。ほぼ零分散でピーク対平均比が低い一群の結果があることが予想される。これらは、たとえば吸入後の、環境ノイズのみを含むウィンドウからの結果である。吸入中のウィンドウは、より高い分散およびピーク対平均比を有する結果を生じる傾向にある。
【００８７】
分類７０は、最高の分散を有するウィンドウを探すことによって始まる。このウィンドウは最大の信号エネルギーを含むので、このウィンドウは、他のノイズの存在状態での最も信頼できる情報をもたらす。最適な信頼性を達成するために、最高のエネルギーを有するウィンドウの連続セットを探すような他の措置もまた可能である。最高の分散を有するウィンドウについて、それに属するピーク対平均比をその結果で調べる。
【００８８】
ここで、結果を、一連の閾値と比較することによって、分類する必要がある。それら閾値は、様々な流速に対してカプセルの有り無しの多数の実験を行うことによって求められた。これら実験の散布図（分散プロット（scatter plot））は、通常、４つの領域に分割することができる。
１．「カプセル」が通常上部にある。これは、カプセルによるスパイクに起因する高いピーク対平均比（ＰＭＲ）の領域である。
２．「無音（サイレンス）」。この領域は、極めて低い分散および低ＰＭＲを有する。
３．「無カプセル」。この領域は、低い分散および低ＰＭＲを有する。カプセルの衝突が無いとノイズレベルは増加され得ないので、最大分散は、カプセルに関して到達する最大分散より遙かに低くなる。
４．「ノイズを有するカプセル」。この領域は、「カプセル」と「無カプセル」との間に生じる。カプセル信号が高レベルの環境ノイズを受けた場合に、結果がこの領域に来る。環境レベルノイズは、カプセルノイズより低いＰＭＲを有するので、全体ＰＭＲを低下させる。
【００８９】
最後に、これまで行われた処理から生じることのある２つの問題に対して点検が行われる。たとえば硬い面上に吸入器を誤って落とすなど、吸入器の取扱いによるノイズ７２は、信号に大きなスパイクを生じる。これらは、分散を際立たせ、極めて高いＰＭＲを生じることがある。これは、「カプセル」として誤った分類に至る。そのような取扱いノイズイベントは、スピンするカプセルが１ウィンドウ当たり１０以上のピークを示すのに対して、通常、僅か２〜４ピークしか示さない。また、呼吸の継続時間により、カプセルは少なくとも１秒間スピンする。したがって、５つの連続するウィンドウ内のピークの数が合計される。この合計が５０より大きい場合、「カプセル」の分類が確認される。他の場合には、分類判定は、「ノイズ」に修正される。
【００９０】
ある場合には、静かなカプセル信号が、大きな環境ノイズによって覆い隠されることがある。低ＰＭＲのために、これは、「無カプセル」領域に入ってくる。この状況を見分けるために、最後に処理されたウィンドウの分散が点検される７４。その分散が無音閾値の約２倍より大きい場合、分類判定は「ノイズ」に変更される。これは、確実に、誤った否定的結果が全くまたは極めて僅かしか報告されないようにするのに役立つ。
【００９１】
本発明が、単に例として上記に説明されており、特許請求の範囲から逸脱することなく細部の修正を加えることができることを理解されたい。
【符号の説明】
【００９２】
１  吸入器
２  カプセルハウジング
４  薬剤カプセル
６  空気流路
８  空気入口
１０  出口
１２  底部
１４  乾燥紛体製剤
１６  センサ
１８  プロセッサ
２０  電源
２２  壁
２４  アクチュエータボタン
２６  穿孔部材
２８  作動センサ
３０  メモリ
３２  出力装置
【図１】
2014513591.tif 000006
【図２】
2014513591.tif 000007
【図３】
2014513591.tif 000008
【図４】
2014513591.tif 000009
【図５ａ】
2014513591.tif 000010
【図５ｂ】
2014513591.tif 000011
【図６】
2014513591.tif 000012
【図７】
2014513591.tif 000013
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
薬剤カプセルを収容するカプセルハウジングと、空気流れ発生中、少なくとも１つの空気入口から出口へ空気が通って流れる空気流路であって、前記空気流路が前記カプセルハウジングの中を通る、空気流路と、第１のセンサと、プロセッサと、前記プロセッサを駆動する電源とを備える吸入器であって、
前記カプセルハウジングは、少なくとも１つの壁によって画成され、前記カプセルハウジング内にカプセルが配置され、前記空気流路に沿って前記カプセルハウジングを通って十分な空気が流れるとき、前記カプセルが前記カプセルハウジング内で運動するように構成され、前記第１のセンサが、前記カプセルハウジング内での前記カプセルの運動を検出し、前記運動を示す第１の信号を発生することができるように、前記第１のセンサが前記吸入器に配置され、前記プロセッサが、前記第１のセンサから前記第１の信号を受け取り、前記第１の信号を使用して、空気流れ発生中、前記第１の信号が前記カプセルハウジング内のカプセルの存在を示しているか、または不在を示しているか判定し、それを示すカプセル信号を生成する、吸入器。
【請求項２】
前記第１のセンサが衝突センサであり、前記第１の信号が衝突信号であり、前記カプセルハウジングが少なくとも１つの壁によって画成され、前記カプセルハウジングが、前記カプセルハウジング内でカプセルが運動するとき、前記カプセルが前記少なくとも１つの壁に繰り返し衝突するように構成され、前記衝突センサが、前記カプセル容器壁への前記カプセルの前記衝突を検出し、各衝突を示す衝突信号を発生することができるように、前記吸入器に配置されている、請求項１に記載の吸入器。
【請求項３】
前記吸入器が、後の読出しのために、１つまたは複数の空気流れ発生に関する前記カプセル信号を記憶するメモリをさらに備える、請求項１に記載の吸入器。
【請求項４】
前記吸入器が、出力装置をさらに備え、前記カプセル信号またはメモリ内容に前記出力装置からアクセスすることができる、請求項１に記載の吸入器。
【請求項５】
前記プロセッサが、カプセル信号を生成するために、ピーク検出アルゴリズムを使用して前記センサからの前記衝突信号を解析し、前記計算されたピーク周波数が所定の限界内にあるか否かを判定する、請求項１に記載の吸入器。
【請求項６】
前記プロセッサが、カプセル信号を生成するために、周波数域識別アルゴリズムを使用して前記センサからの前記衝突信号を解析し、２つの異なる所定の周波数領域間の信号強度の比が、所定の限界内にあるか否かを判定する、請求項１に記載の吸入器。
【請求項７】
前記プロセッサが、カプセル信号を生成するために、前記衝突信号を特徴付ける２つの統計変数を計算し、一方の変数の他方の変数に対する散布図上の所定の領域に、前記計算された統計量が入るか否かを判定する２変数統計的アルゴリズムを使用して、前記センサからの前記衝突信号を解析する、請求項１に記載の吸入器。
【請求項８】
前記計算される変数が尖度および分散である、請求項７に記載の吸入器。
【請求項９】
前記計算される変数が、前記衝突信号の２乗または大きさのピーク対平均比、および分散である、請求項７に記載の吸入器。
【請求項１０】
前記プロセッサが、少なくとも２つの異なるアルゴリズムを使用して前記センサからの前記衝突信号を解析する、請求項１に記載の吸入器。
【請求項１１】
前記第１のセンサがマイクロフォンまたは圧電素子である、請求項１に記載の吸入器。
【請求項１２】
前記カプセルハウジングが、当該カプセルハウジングの中に収容されるカプセルより大きい直径、および前記カプセルの直径より大きいが、前記カプセルの長さより小さい高さを有する実質的に円筒形である部分を備え、前記空気流路が、前記カプセルハウジング内で前記カプセルをスピンさせるように構成されている、請求項１に記載の吸入器。
【請求項１３】
前記吸入器が、開口要素に前記吸入器内のカプセルを開口させるために使用者によって作動させることができる少なくとも１つのアクチュエータを備え、前記吸入器が、前記アクチュエータの作動を感知し、作動信号を発生するアクチュエータセンサをさらに備え、前記プロセッサが、前記作動信号を受信するように構成されている、請求項１に記載の吸入器。
【請求項１４】
前記プロセッサが、前記吸入器の正しい使用シーケンスに使用者が従ったか否かを示す服用信号を生成するように構成され、前記プロセッサが、前記カプセル信号および前記作動信号、それら信号が生成された順序、ならびに信号間の時間に基づいて前記服用信号を生成する、請求項１３に記載の吸入器。
【国際調査報告】
2014513591.tif 000014
2014513591.tif 000015